(57)【要約】【課題】外箱内に液体や粉粒体を漏れなく包装するためにフィルム製の内袋を備え、この内袋の口部に外箱に対して段差が生じないようにスパウトを設けたスパウト付き包装用箱を提供する。【解決手段】外箱内に内袋を設け、内袋の口部を構成するスパウトを該外箱の上面側のフラップを貫通させて成るスパウト付き包装用箱において、スパウトを貫通させたフラップのスパウト周辺部に、スパウトの落ち込み兼水平保持用の切り込み及び／又は折込み線を設けたことを特徴とする。【効果】フラップ部のスパウト周辺部のみに切り込みを入れ、スパウトを傾斜させることでスパウトの凸部を低くし積み重ねを出来るようにした場合、フラップ全体にかかる罫線の反発抵抗から、スパウト周辺部のみの反発抵抗になり、スパウトを容易に落ち込ませる（フラップを傾けた状態）ことが可能となる。さらに胴部の段差もないため、圧縮強度による劣化がない。【選択図】    図１
2014097803.tif 000002
【特許請求の範囲】
【請求項１】
外箱内に内袋を設け、内袋の口部を構成するスパウトを該外箱の上面側のフラップを貫通させて成るスパウト付き包装用箱において、スパウトを貫通させたフラップのスパウト周辺部に、スパウトの落ち込み兼水平保持用の切り込み及び／又は折込み線を設けたことを特徴とするスパウト付き包装用箱。
【請求項２】
切り込み形状が蛇腹形状又は波型形状であることを特徴とする請求項１記載のスパウト付き包装用箱。
【請求項３】
スパウトを設けたフラップに落ち込み防止用のストッパーを設けたことを特徴とする請求項１又は２記載のスパウト付き包装用箱。
【請求項４】
落し込まれたスパウトを引き上げるためのスパウト取り出し用開口部をフラップに設けたことを特徴とする請求項１，２又は３記載のスパウト付き包装用箱。
【発明の詳細な説明】
【技術分野】
【０００１】
この発明は、外箱内に液体や粉粒体を漏れなく包装するためにフィルム製の内袋を備え、その内袋の口部にスパウトを設けたスパウト付き包装用箱に関する。
【背景技術】
【０００２】
従来、液体や粉体を入れる容器として、金属・プラスチック製の容器と共に、段ボールと内袋を組み合わせたＢＩＢ容器が使用されている。近年、環境問題から使用後に廃棄処理が容易にできる容器が求められていることから、紙製段ボールの容器が使用されるようになってきた。さらに充填作業の効率化を図るため、段ボールと内袋を一体化した紙製の段ボール容器が市場に展開している。
【発明の開示】
【発明が解決しようとする課題】
【０００３】
ところが、上記容器では、内袋２の口部２ａに設けられるスパウト３が凸形状になっていることから、輸送時や保管時は積み重ねをするため、段ボールに段差５０を付けてスパウト３を引込めることで対応していた（図９，図１０参照）。即ち、従来の容器は、胴部５１とフラップ部５２に切り込み５３を入れ、段差５０を付けることでスパウト３の凸部３ａを低くし、積み重ねを出来るようにしていた。
【０００４】
しかし段ボール箱に段差を付けるため、その構造上の段差により、（１）圧縮強度が大幅に低下すると共に、（２）構造が複雑なため容器の組立て作業の自動化が困難で、（３）段差により積み重ねが不安定になる等の問題点があった。
【０００５】
この発明は、上記のような実情に鑑みて、外箱内に液体や粉粒体を漏れなく包装するためにフィルム製の内袋を備え、この内袋の口部に外箱に対して段差が生じないようにスパウトを設けたスパウト付き包装用箱を提供するものである。
【課題を解決するための手段】
【０００６】
上記の課題を解決するために、この発明は、外箱内に内袋を設け、内袋の口部を構成するスパウトを該外箱の上面側のフラップを貫通させて成るスパウト付き包装用箱において、スパウトを貫通させたフラップのスパウト周辺部に、スパウトの落ち込み兼水平保持用の切り込み及び／又は折込み線を設けたことを特徴とするスパウト付き包装用箱を提供するものである。
【０００７】
さらに上記構成において、切り込み形状が蛇腹形状又は波型形状であることにより（請求項２）、又は、スパウトを設けたフラップに落ち込み防止用のストッパーを設けることにより（請求項３）、若しくは、落し込まれたスパウトを引き上げるためのスパウト取出し用開口部をフラップに設けることにより（請求項４）、本発明の目的をより有効に発揮することができる。
【０００８】
上記において、外箱の材質としては、紙製段ボール（一層段ボール、二層段ボールなど）、プラスチック製段ボール、紙製ボードなど板状であれば限定しない。特に紙製段ボールが好ましい。一方、外箱の形状としては、Ａ式を基本とし、そのフラップ部に内袋のスパウト部を取り付ける。また、六角形状の外箱のフラップ部に内袋のスパウト部を取り付けるなど特に限定しない。
【０００９】
内袋の材質としては、ポリエチレン、ポリプロピレン、ナイロン、ＰＥＴ、アルミ箔を入れたラミネートフイルムや、その複合フイルムや機能性フイルムなど特に限定しない。特にポリエチレンやナイロンが好ましい。また、内袋の形状としては、平袋、ガゼット袋（幅ガゼット・底ガゼットなど）一重袋、二重袋等で構成されているものを挙げることができる。なお、以下は便宜上、外箱がＡ式、内袋が平袋である場合を主体として説明して行く。
【００１０】
スパウト付き包装用箱を上記のように構成したから、フラップの罫線を活かしスパウトの周辺部に切り込みを入れることで、フラップの落ち込み罫線の長さが短くなる分、罫線の反発抵抗が少なくなり、フラップの罫線を活かした切り込みによりスパウトの落ち込み（傾斜）が可能となる。
【００１１】
また、フラップのスパウト周辺部に切り込みと共に折り込み線を設けることで、スパウト周辺部の切り込みでスパウトを傾斜させ、さらに折込線で反対方向の傾斜も可能となるため、容易に無理なく理想的なフラップの落ち込み（フラップを傾けた状態）が可能となる。
【００１２】
さらに、切り込みが縦一直線の場合、切り込みから抜け易いが、横方向にも切り込みがあると前後方向に抵抗が掛かかり易くなるため、内容物を取り出すとき落ち込みにくく安定した取出しが可能となる。
【００１３】
また、フラップの落ち込み（傾けることで）だけでスパウトの凸部を吸収し、フラップに折り曲げ線（又は短くカット）を設けることで傾いたフラップが途中で平行になり（短くカットした場合は食い込みが少なくなる）、内容物の表面にフラップが食い込むことが防止でき、食い込みによる内容量の減少やフラップの端面で内袋のフイルムの傷を防止ができる。
【００１４】
また、フラップの両サイドに、ふくらみを設けることで、フラップの罫線内側の溝に固定されるため、フラップが下がることなく安定した状態を保つことができる。
【発明の効果】
【００１５】
以上説明したように、この発明のスパウト付き包装用箱によれば、フラップ部のスパウト周辺部のみに切り込みを入れ、スパウトを傾斜させることでスパウトの凸部を低くし積み重ねを出来るようにした場合、フラップ全体にかかる罫線の反発抵抗から、スパウト周辺部のみの反発抵抗になり、スパウトを容易に落ち込ませる（フラップを傾けた状態）ことが可能となる。さらに胴部の段差もないため、圧縮強度による劣化がない。
【００１６】
また、フラップ部の落ち込み（傾斜）と、スパウト部の落ち込み（傾斜）の両方で、凸部を引込めるため、無理なくスパウト部を収めることが可能となる。
【００１７】
内容物を取り出す場合は、スパウトの傾斜を元の位置に戻してから内容物を取り出すが、この時、切り込み線が再び落ち込み（傾斜）しないよう固定しておく必要がある。フラップの切り込みが「蛇腹形状や波型形状」により、使用時にスパウトが傾斜することが防止できる。
【００１８】
スパウトの凸形状をフラップの落ち込み（フラップを傾けた状態）によりスパウトの凸部を吸収し、フラップに折り曲げ線（又は短くカット）を設けることで、フラップの先端の下がりにより、内容物の容量が少なくならないようにできると共に、フラップの端面で内袋のフイルムが傷付くのを防止できる。
【００１９】
フラップに落ち込み防止用ストッパー（脹み）を設けることで、フラップが下がることなく安定した状態を保つことができる。
【００２０】
従来のこの種の容器（外箱）よりも構造が簡単となるため、容器（外箱）の組立て作業の自動化が容易となった。加えて、スパウトによる段差が全く無くなり、容器の積み重ねが不安定になるという欠点も解消された。
【図面の簡単な説明】
【００２１】
【図１】この発明の一実施形態を示すスパウト付き包装用箱の外箱の展開図（ａ）、上面フラップ未閉じにおいて示す斜視図（ｂ）、使用状態を説明する斜視図（ｃ）である。
【図２】他の実施形態を示す図１に対応する展開図（ａ）、斜視図（ｂ），（ｃ）である。
【図３】さらに、他の実施形態を示す図１に対応する展開図（ａ）、斜視図（ｂ），（ｃ）である。
【図４】さらに、他の実施形態を示す図１に対応する展開図（ａ）、斜視図（ｂ），（ｃ）である。
【図５】さらに、他の実施形態を示す図１に対応する展開図（ａ）、斜視図（ｂ），（ｃ）である。
【図６】さらに、他の実施形態を示す図１に対応する展開図（ａ）、斜視図（ｂ），（ｃ）である。
【図７】さらに、スパウト付き包装用箱の外箱が六角形状で、その上面フラップの一部にスパウトを取付けた別の実施形態で、図１に対応する展開図（ａ）、斜視図（ｂ），（ｃ）を示したものである。
【図８】さらに、別の実施形態を示す図１に対応する展開図（ａ）と、使用状態を示す平面側から見た斜視図（ｂ）である。
【図９】従来例の使用状態を一部フラップ未閉じにおいて示す斜視図である。
【図１０】別の従来例の使用状態を示す斜視図である。
【発明を実施するための最良の形態】
【００２２】
この発明のスパウト付き包装用箱Ｐａは、段ボールで組み立てられるＡ式の外箱１と、それに納まる内袋（図示を省略する）とからなり、上端に内袋内の液体等の注出入口となる口部２ａにスパウト３を有し、それが段ボール箱１に対する内袋の支持手段ともなっている。つまり、内袋がスパウト３を介して外箱１に結合しているために、それだけで常時吊り下げ状態となっている。
【００２３】
外箱１は、前後両側壁５，５と左右両側壁７，７とが交互となる端に糊代９を連設して構成され、前後両側壁５，５の上下両端に内フラップ１１，１１を、左右両側壁７，７の上下両端に外フラップ１３，１３がそれぞれ連設されるが、上端前側の内フラップ１１においてスパウト３を取り付ける窪壁１５が形成される。
【００２４】
また、スパウト３を装着した内フラップ１１に最も近い外フラップ１３には、上記内フラップ１１のほゞ真上側に被さる位置に落し込まれたスパウト３を引き上げるためのスパウト取出し用開口部３０を切り取り易いようにミシン目様切れ目に設けてある。また、このスパウト取り出し用開口部３０を開口し易いように、さらにミシン目を細くした小孔形成部３１が設けられる。
【実施例１】
【００２５】
外箱１内には内袋（図示は省略）を設けてあるが、その内袋の口部２ａを構成するスパウト３を、該外箱１の上面側のフラップ１１を貫通させて設けてある。そして、スパウト３を貫通させたフラップ１１のスパウト３周辺部に、スパウト３の落ち込み兼水平保持用の切り込み線１６が設けてある。この実施例では、切り込み１６があるので、フラップ全体の反発は少ない。
【実施例２】
【００２６】
この実施例２は、スパウト３の周辺部に切り込み１６と折り込線１７を設けた事例である。切り込み１６と折り込線１７があるため、本体フラップの折り曲げ線と折り込線で交互の折り込みになるため容易にスパウト３の傾斜ができる。また、外フラップ１３にはスパウト取出し用開口部３０と小孔形成部３１とが設けられている。
【実施例３】
【００２７】
この実施例３は、スパウト３の周辺部に切り込み１６と折り込線１７を設けその形状を斜めにした事例である。上記実施例２の長所があると共に、フラップの切り込みから切り込み線１６が離れるため、フラップ１１の強度が落ちず、さらに容器をＶに傾けて内容物を取り出す時は、安定して取り出せる。
【実施例４】
【００２８】
この実施例では、フラップ１１の切り込み１６が「蛇腹形状や波型形状」に形成してある。内容物を取り出す場合は、スパウト３の傾斜を元の位置に戻してから内容物を取り出す。この時、切り込み線１６が再び落ち込み（傾斜）しないよう固定しておく必要がある。この実施例では、フラップの切り込み１６が「蛇腹形状や波型形状」になっているので、使用時にスパウト３が傾斜することを防止できる。なお、図中、１８は落ち込み防止用ストッパーである。
【実施例５】
【００２９】
この実施例は、フラップ１１の幅を短くカット（又は先端付近に折り曲げ線を設けても良い）した事例である。フラップの先端の下がりにより内容物の容量が少なくならないようにできると共に、フラップの先端面による内袋のフイルムの傷付きを防止できる。
【実施例６】
【００３０】
この実施例は、フラップ１１に落ち込み防止用ストッパー１８を設けた事例で、フラップ３に落ち込み防止用ストッパー（脹み）１８を設けることでフラップ１１が下がることなく安定した状態を保つことができる。また、スパウト３周辺には、切込線も折込線もないので、構造がシンプルである。この場合、スパウト３が容器の端面から離れている場合は良いが、スパウト３を容器端面に取付けるときは、傾斜の角度が大きくなるため、適しない。なお、フラップ１１の折込みが好都合に利用できる。
【実施例７】
【００３１】
この実施例は、外箱１が六角形状でフラップ２０の一部にスパウト３を取り付け、フラップ２０は斜めに落ち込む形状とした事例である。外箱１が六角形状の場合、外箱１本体の折り曲げ線２１が短いため、外箱１本体の折り曲げ線２１だけでも容易にスパウト３の傾斜が可能である。
【実施例８】
【００３２】
この実施例では、外フラップ１３側に設けられたスパウト取り出し用開口部３０を１８０度折り返し、折り返し頂点側に予め設けてある開口部保持用切れ目３２に、頂点側引掛部３３を押し込んで引掛け保持した状態にできる。これにより、内袋内へ内容物を安定的に出し入れすることができる。
【符号の説明】
【００３３】
Ｐａ  スパウト付き包装用箱
１  外箱
２  内袋
２ａ  内袋の口部
３  スパウト
１１  内フラップ
１３  外フラップ
１６  切り込み線
１７  折り込み線
１８  落ち込み防止用ストッパー
３０  スパウト取り出し用開口部
３１  小孔形成部
３２  開口部保持用切れ目
３３  引掛部
【図１】
2014097803.tif 000003
【図２】
2014097803.tif 000004
【図３】
2014097803.tif 000005
【図４】
2014097803.tif 000006
【図５】
2014097803.tif 000007
【図６】
2014097803.tif 000008
【図７】
2014097803.tif 000009
【図８】
2014097803.tif 000010
【図９】
2014097803.tif 000011
【図１０】
2014097803.tif 000012